(57)【要約】【課題】複数のボトル類等を傾斜配置しても前面板に掛かる重量に基づく負荷を分散させることができる木製の箱形陳列ボックスを提供すること。【解決手段】ビン類を前後方向に向け左右方向に複数個並べることが可能で、上方が開放した木製の箱形陳列ボックス３であって、この箱形陳列ボックス３は、内部に収納したビン類の後方が高くなるように載置し、このボックス３内部にはビン類を左右方向に仕切る前後方向を向く仕切板２２が設けられ、これら仕切板２２の前後上端にはボックス３の前面板１６及び後面板１４に係合可能なコ字状の係合片２４ａ，２４ｂが設けられ、ビン類の重量が前面板１６だけに掛かることを防止している。【選択図】  図５
2005034329.tif 000002
【特許請求の範囲】
【請求項１】
ビン類等を前後方向に向け左右方向に複数個並べることが可能な上方が開放した木製の箱形陳列ボックスであって、前記箱形陳列ボックスは、ボックス内に収納したビン類等の後方が高くなるように載置し、該ボックス内部にはビン類等を左右方向に仕切る前後方向を向く仕切板が設けられ、該仕切板の前後上端には該ボックスの前面板及び後面板に係合可能な下方が開口するコ字状の係合片が設けられていることを特徴とする箱形陳列ボックス。
【請求項２】
前記仕切板の下方端面の少なくとも前方側に支持板を設けた請求項１に記載の箱形陳列ボックス。
【請求項３】
前記箱形陳列ボックスの前面板は複数の桟で構成されている請求項１または２に記載の箱形陳列ボックス。
【請求項４】
少なくとも前記仕切板と係合する桟は金属製の補強材を介して箱形陳列ボックスの側板に取付けられている請求項３に記載の箱形陳列ボックス。
【発明の詳細な説明】
【０００１】
【発明の属する技術分野】
本発明は、ビン類等（缶類等も含む）を前後方向に向け左右方向に複数個並べることが可能な上方が開放した木製の箱形陳列ボックスに関する。
【０００２】
【従来の技術】
従来、ビン類等を前後方向に向け左右方向に複数個並べることが可能な陳列手段として、例えば特許文献１に記載の「ボトルラック」が知られている。このボトルラックはボトルの胴部に貼着されたラベルの見やすさや取り出し安さを考慮して、ボトルの後方が高くなるように傾斜して陳列するようになっており、特にボトルがワインボトルであれば、品質保持の観点からも寝かせた状態で保存するのが良いとされている。そのために、金属製の線部材で形成された長方形の枠体を取付用桟に掛着し、枠体上にボトルを複数個傾斜配列したもので、軽量で線部材の曲げ具合により傾斜角度が自由に変えられるので便利であるが、ボトルを上下方向に複数段配設するためには複雑な線部材の曲げ加工を要し、また複数のボトルごと陳列させたり、陳列状態から移動運搬するには適さなかった。
【０００３】
このような事情に鑑み、例えば特許文献２に記載の「ワインラック」が知られている。このワインラックはボトルを上下方向に複数段配設できるようにした立方体または直方体形状の箱体であり、収納能力が大きく、陳列場所を変えたり店内の模様変えの際の移動に便利である。
【０００４】
【特許文献１】
特開２００２−１３６４０２号公報（段落００１６〜００１９、図１）
【特許文献２】
特開２００１−２７５７６１号公報（図１）
【０００５】
【発明が解決しようとする課題】
この特許文献２に記載のワインラックは、収納能力が大きく、かつ軽量化のために穴あき金属板を用いて頑強に造られているが、木製の陳列棚等に載置するような場合には、デザイン的に統一させるために、金属製のワインラックに代えて木製のワインラックにして木製の陳列棚に載置すればよいが、この場合、木製のワインラックは強度的に劣るため、ボトルの後方が高くなるようにボックスを傾斜配列すると、ボックスの前面板に重量が掛かかって前面板が撓んだり、破損する恐れがあった。
【０００６】
本発明は、このような状況に鑑みてなされたものであり、複数のボトル類等を傾斜配置しても前面板に掛かる重量に基づく負荷を分散させることができる木製の箱形陳列ボックスを提供することを目的とするものである。
【０００７】
【課題を解決するための手段】
上記課題を解決するために、本発明の箱形陳列ボックスは、ビン類を前後方向に向け左右方向に複数個並べることが可能な上方が開放した木製の箱形陳列ボックスであって、前記箱形陳列ボックスは、ボックス内に収納したビン類の後方が高くなるように載置し、該ボックス内部にはビン類等を左右方向に仕切る前後方向を向く仕切板が設けられ、該仕切板の前後上端には該ボックスの前面板及び後面板に係合可能な下方が開口するコ字状の係合片が設けられていることを特徴としている。
この特徴によれば、仕切板が箱形陳列ボックスの前面板及び後面板と係合しているので、ビン類等の仕分けと同時に、ビン類等の荷重を仕切板を介して前後面板で分散して受けて前面板だけに負荷が掛かるようなことがない。
【０００８】
本発明の箱形陳列ボックスにおいて、前記仕切板の下方端面の少なくとも前方側に支持板を設けることが好ましい。
これによれば、支持板上にビン等の重量が掛かるので、仕切板を挟んで隣接のビン類を取り除いた場合でも、仕切板が移動してしまうようなことは起きない。
【０００９】
本発明の箱形陳列ボックスにおいて、前記箱形陳列ボックスの前面板は複数の桟で構成されていることが好ましい。
これによれば、前面板を桟で構成することで、上下に積み上げたビン類が見えるので、種類等の確認が容易にできる。
【００１０】
本発明の箱形陳列ボックスにおいて、少なくとも前記仕切板と係合する桟を金属製の補強材を介して箱形陳列ボックスの側板に取付けることが好ましい。
これによれば、少なくとも仕切板と係合する桟の強度を向上させることができる。
【００１１】
【発明の実施形態】
図１は本発明の一実施形態に係り複数のワインボトル等のビン類を収容した箱形陳列ボックスを上下に傾斜させて陳列したボトルラックの斜視図、図２は空の箱形陳列ボックスを上下に傾斜させて陳列したボトルラックの斜視図、図３は箱形陳列ボックスの分解斜視図、図４は組立てられた箱形陳列ボックスの内部に仕切板を取り付ける状態を示す説明図であり、図５は組立てられた箱形陳列ボックスの一部破断を示す斜視図である。
【００１２】
図１および図２に示される１はボトルラックであって、このボトルラック１は、複数のワインボトル等のビン類を寝かせた状態で収容した箱形陳列ボックス２，３を異なる角度で上下に重ねて陳列するように構成されたものであって、矩形状のベース４と、このベース４の後方角部に立設した所定高さの２本の支柱５ａ，５ｂと、支柱５ａ，５ｂの上端間に連結された梁部材６と、両支柱５ａ，５ｂの前面に所定間隔で上下に配設され角度が調整可能に構成されたボックス支持棚８ａ，８ｂ，８ｃとから構成されている。
【００１３】
ベース４は、金属製の板材等を組合せて頑強に構成されており、このベース４上には、ワインボトル等の複数のビン類Ｂが緩い傾斜角度で後方が若干高くなるよう、寝かせた状態で３段に重ねて収容される大型の陳列ボックス２が支持される。
【００１４】
また、ベース４の上方に配設されたボックス支持棚８ａ，８ｂ，８ｃは、下段から上段に向けて後方が高くなるように支柱５ａ，５ｂの前面に取付けられており、これらボックス支持棚８ａ，８ｂ，８ｃには、ワインボトル等の複数のビン類Ｂを２段積みで寝かせた状態で横方向に並べて収容した箱形の陳列ボックス３がそれぞれ支持されている。
【００１５】
次に、箱形の陳列ボックスに付き図３〜図５を参照して詳述する。
【００１６】
箱形の陳列ボックス３は、図３〜図５に示すようにワインボトル等のビン類Ｂ等（以下単に「ビン類Ｂ」という）を、前後方向に向け左右方向に複数個並べることが可能な上方が開放した直方体の箱形に形成されており、底板１０と、底板１０の左右端部に設けられた側板１２ａ，１２ｂと、底板１０の後端に設けられた後面板１４と、両側板１２ａ，１２ｂの前端に取付けられた前面板１６とから構成されている。
【００１７】
詳しくは、前面板１６は、上下に配置される２枚の帯板状の桟から構成されており、下方の桟１６ａは両側板１２ａ，１２ｂの前端下方に取付けられ、上方の桟１６ｂは、両側板１２ａ，１２ｂ前方上方の内側に固定される一対の取付片１８ａ，１８ｂを両端に設けた金属製の補強板１８の支持片１８ｃに支持されてネジ等の締結金具２０により固定されている。
【００１８】
従って、前面板１６が下方の桟１６ａと、この下方の桟１６ａに対し所定間隔離間して上部に配置された上方の桟１６ｂとから構成されているので、陳列ボックス３内に上下に積み上げたビン類Ｂが外から見え、容易にビン類Ｂの種類等が確認できる。
【００１９】
そして、陳列ボックス３の内部には、図４に示すように、２枚の仕切板２２が所定間隔離間して左右に配置されており、その内部に収容された前後方向を向く複数のビン類Ｂを左右に仕切るようになっている。
【００２０】
この仕切板２２は、木製板により横長矩形状に形成されており、両側端上部には前面板１６を構成する上方の桟１６ｂ及び後面板１４の上端に係合可能に下方が開口するコ字状に折曲形成された金属製の係合片２４ａ，２４ｂが取付けられ、仕切板２２の下方端面、即ち陳列ボックス３底面側には矩形状に形成された木製の薄板状支持板２５が固定されている。
【００２１】
なお、この支持板２５は、仕切板２２の前方側だけに取付けた構成としたが、支持板２５を下方端面の全長に亘って取付けることもできる。また仕切板２２の数は陳列ボックス３の長さによって１枚または３枚以上で構成することもある。
【００２２】
次に上記のように構成された陳列ボックスは、ボトルラック１の水平のベース４、ボックス支持棚８ａ、８ｂ、８ｃに載置される。このボックス支持棚８ａ，８ｂ，８ｃは、顧客の目線の合わせて最下段から上方段になるにしたがって徐々に後方が高くなるような傾斜角度に設定されているので、ビン類Ｂに添付したラベル等の確認がし易い。。
【００２３】
ボックス支持棚８ａ，８ｂ，８ｃに支持された陳列ボックス３の内部には、ワインボトル等の複数のビン類Ｂが前後方向を向くように寝かせた状態で２段ないし３段積みで収容されるが、ビン類Ｂを収容する前に仕切板２２に設けた係合片２４ａ，２４ｂを上方の桟１６ｂ及び後面板１４の上端に係合させておく。
【００２４】
そこで、例えば、２枚の仕切板２２で仕切られた陳列ボックス３の内部に、複数のビン類Ｂが前後方向を向くように２段積みで寝かせた状態で収容すると、下段側のボトル重量は下方の桟１６ａで支持され、上段側のボトル重量は上方の桟１６ｂで支持され、仕切板２２の陳列ボックス３底面側に設けた薄板状支持板２５上には下段側のボトルの一部が載置される。
【００２５】
このようにして上方の桟１６ｂには、陳列ボックス３に収容される上段のボトル重量が作用するが、上方の桟１６ｂが、両側板１２ａ，１２ｂ前方上方の内側に固定された金属製の補強板１８に取り付けられているので、上方の桟１６ｂが破損したりすることはない。
【００２６】
しかも上方の桟１６ｂは２枚の仕切板２２を介して後面板１４と連接しているので、ビン類Ｂの重量を仕切板２２を介して上方の桟１６ｂ及び後面板１４で分散して受けることになり、上方の桟１６ｂだけに負荷が掛かることが防げる。一方、下方の桟１６ａに関しては、両側板１２ａ，１２ｂと底板１０に固定されているので、ビン類Ｂの重量に対して強度的に充分耐えることができる。
【００２７】
また、仕切板２２は、支持板２５上に陳列ボックス３に収容されるビン類Ｂの重量が掛かかっているので、仕切板２２を挟んで隣接のビン類Ｂを取り除いた場合でも、仕切板２２が移動することがなく安定状態で保持することができる。
【００２８】
尚、図１に示すようにベース４上に載置される大型の陳列ボックス２は、ビン類Ｂを緩い傾斜面で寝かせて置くことができ、しかも上方に持ち上げる必要もないので、３段積みにしたり、あるいはストッパー付きのキャスタを付けて運搬し易い構成とすることも可能である。
【００２９】
上述した陳列ボックス２，３の前面板１６は、複数枚の桟となる支持板で構成された例として説明したが、所定個所に複数の覗き孔を配置した１枚の所定厚みの前面板で構成することもできる。
【００３０】
【発明の効果】
本発明は以下の効果を奏する。
【００３１】
（ａ）請求項１項の発明によれば、仕切板が箱形陳列ボックスの前面板及び後面板と係合しているので、ビン類等の仕分けと同時に、ビン類等の荷重を仕切板を介して前後面板で分散して受けて前面板だけに負荷が掛かるようなことがない。
【００３２】
（ｂ）請求項２項の発明によれば、支持板上にビン等の重量が掛かるので、仕切板を挟んで隣接のビン類を取り除いた場合でも、仕切板が移動してしまうようなことは起きない。
【００３３】
（ｃ）請求項３項の発明によれば、前面板を桟で構成することで、上下に積み上げたビン類が見えるので、種類等の確認が容易にできる。
【００３４】
（ｄ）請求項４項の発明によれば、少なくとも仕切板と係合する桟の強度を向上させることができる。
【図面の簡単な説明】
【図１】本発明の一実施形態に係り複数のワインボトル等のビン類を収容した箱形陳列ボックスを上下に傾斜させて陳列したボトルラックの斜視図である。
【図２】空の箱形陳列ボックスを上下に傾斜させて陳列したボトルラックの斜視図である。
【図３】箱形陳列ボックスの分解斜視図である。
【図４】組立てられた箱形陳列ボックスの内部に仕切板を取付ける状態を示す説明図である。
【図５】組立てられた箱形陳列ボックスの一部破断を示す斜視図である。
【符号の説明】
１                      ボトルラック
２，３                  箱形陳列ボックス
４                      ベース
５ａ，５ｂ              支柱
６                      梁部材
８ａ，８ｂ，８ｃ        ボックス支持棚
１０                    底板
１２ａ，１２ｂ          側板
１４                    後面板
１６                    前面板
１６ａ                  下方の桟
１６ｂ                  上方の桟
１８                    補強板
１８ａ，１８ｂ          取付片
１８ｃ                  支持片
２０                    締結金具
２２                    仕切板
２４ａ，２４ｂ          係合片
２５                    支持板
Ｂ                      ビン類
【図１】
2005034329.tif 000003
【図２】
2005034329.tif 000004
【図３】
2005034329.tif 000005
【図４】
2005034329.tif 000006
【図５】
2005034329.tif 000007